(57)【要約】
【課　　題】健康増進の機能を発揮し、効能持続期間の長い健康指リングの提供。
【解決手段】チタン粉末をエラストマー材料に配合してなるインナーリング及び適宜のアウターリングを少なくとも有する２個以上のリングを積個した健康指リング。
【選択図面】図５
【実用新案登録請求の範囲】
【請求項１】
少なくとも２個のリングからなる健康指リングであって、少なくとも１個のリングはチタン粉末をエラストマーに配合したものからなり、且つ各リングは嵌合又は重ね合わせにより脱着自在であることを特徴とする複合健康指リング
【請求項２】
各リングは、少なくとも内径、外径又は幅が異なっており、各リングが嵌合又は重ね合わせにより脱着自在となっていることを特徴とする請求項１の複合健康指リング。
【請求項３】
最外側の化粧面に適宜の装飾付属具をつけてなることを特徴とする請求項１又は２の複合健康指リング。
【請求項４】
該チタン粉末が、高圧水中で金属チタンを水素と酸素の燃焼ガスで燃焼させて得られたチタン粉末であることを特徴とする請求項１〜３のいずれかの複合健康指リング。
【考案の詳細な説明】
【技術分野】
【０００１】
　本考案は、各色、各サイズのリングを嵌合又は重ね合わせで脱着自在である複合健康指リングに関する。
　また、本考案は、特定の製造法で得られたチタン粉末を含有するリングを少なくとも１個有する健康指リングに関する。
【背景技術】
【０００２】
　最近、健康志向が強く、健康装身具が汎用されており、健康を増進する商品や各種の病気の治療商品が氾濫している。例えば、肌着などの衣料類や、ブレスレットや指輪などの装身具、又は寝具や履物類、足踏み健康具、食品や飲料など、さらには種々の運動グッズなどの商品として、日常生活において利用されており、その需要は今後も益々増えると予測される。
　磁石による磁力線（磁気）やセラミックによる遠赤外線や電磁波、又は炭素やゲルマニウムなどの元素材、天然鉱石や金紙銀紙などの素材、さらにα−水などの機能水やトルマリンなどを利用した商品によって健康増進や病気治療の機能を発揮せしめるものも報告されている。
　しかし、これらの商品においては、明らかに健康増進や病気治療の効能に乏しいものや効能の確認に至っていないものもある。また、なかには効能が弱く、効能速度も遅く、効能持続期間も比較的短く、治療効能の範囲も狭いばかりでなく、皮膚アレルギーなどの副作用を起こしたり、装着時に不快感が生じたり、素材が高価であったり、使用のわずらわしさがあるなど、種々の問題点が指摘されている。
【０００３】
　そして、金属チタンは、古くから利用されている鉄や銅に比して比較的新しく見つけ出された金属であり、その軽くて高温における優れた強度や耐食性などの故に今では多くの分野で利用されているが、最近、金属チタンが血行促進などの生理作用や電磁気作用を有すことに着目されており、その用途が注目されているが、その一環として、上記題点の解決のために、金属チタンを健康増進や病気治療の商品としての活用も期待されている。
【０００４】
　金属チタンの装身具や日用品への代表的な利用技術として、特開平８−３２２６９５号公報には、チタンを含む元素のうち１種類を含有させた多孔質セラミックによる睡眠中に体調を整える寝具が開示されているが、チタンはそのうちの元素の１種として記載されているだけで、チタンを新素材として使用したものではない。
　登録実用新案公報３０４５８３５号には、チタン単体やチタン化合物などのチタン系新素材を分散させた中間個と、表裏の両個からなる積個体の健康バンドが開示され、手首や足首に巻き付けて使用する簡単な構造により、チタン素材が血行促進や代謝促進を行なうため健康が増進され、また、チタン系素材が皮膚に直接に接触しないために、湿疹やかゆみなどの金属アレルギーを起こさないことも示されている。
【０００５】
　また、登録実用新案公報３０６１４６６号では、足裏の形状をなす芯材の上面に足裏のツボに当接し、湾曲又は凸起させたツボ当て製品を固定し、ツボ当て表面にチタン単体やチタン化合物などのチタン系素材を含有させた接着剤にて色柄の布を貼り、足踵まで挿入可能とした外縁を有する健康スリッパが開示されれているが、この商品は足裏のツボを湾曲又は凸起が刺激するとともにツボをチタンが刺激して足裏の血行が促進され、製造コストも廉価であるとされているが、その効果面において満足するものではない。
【０００６】
　さらに、特開平１１−２８５５４３号公報には、酸化チタンの部分還元焼結体の表面に半導体膜が形成された健康維持具が開示され、登録実用新案公報３０６８８１０号には、健康増進機能を有し美的でおしゃれなリングとして、ゴム成形原料に琥珀粉末と酸化チタン粉末の混合物を混入して加硫成形した指輪又は腕用リングの外周凹溝に、蓄光塗料で着色された輪体を嵌着した健康装身具が開示されている。
　これらの公知技術における新素材の金属チタンの装身具、日用品への利用は、金属チタンの血行促進などの生理作用や電磁気作用などの特性を生かして、従来の健康装身具に比べて優れた健康増進の機能を発揮し、健康装身具を提供しようとするものであるが、上記技術におけるチタン系化合物の使用例では、健康増進の機能が十分でなかったり、装着の快適性が満足いくものではなかった。また、チタン単体ではあっても、健康装身具としては、その効能面では需要者のニ−ズを満たすものではなかった。
【０００７】
【特許文献１】特開平８−３２２６９５号公報
【特許文献２】特開平１１−２８５５４３号公報
【特許文献３】登録実用新案第３０４５８３５号
【特許文献４】登録実用新案第３０６１４６６号
【特許文献５】登録実用新案第３０６８８１０号
【考案の開示】
【考案が解決しようとする課題】
【０００８】
　チタンは、素材として化学的に安定であり、経時的な劣化や変質を受けることもないが、チタンの健康増進や病気治療における有効性は、最近、ようやく認識されるようになっており、血行（血液循環）の増進や代謝の促進又は血液や細胞組織の活性化などの作用が注目されている。チタンの電磁気作用などが全身のツボに影響を与えることも考えられる。またこれらの作用はチタンが皮膚に直接接触しなくても有効であり、効能発生速度も比較的に速く、長期間にわたりその効力を維持しており、上記の各作用のために、健康増進効果が顕著となり、全身の万病に治癒の影響を与えて、全身における疲労衰弱や頭痛又は腰痛などの軽度の病気を治癒させる効果も報告されているが、これらの説明し難いチタンの効能の理由は、未だ論理的に十分に解明されておらず、チタンの極く緩やかな電気作用（極微量の電流）や磁気作用が血液中のヘモグロビン内の鉄元素に対して働き、鉄元素を活性化したり、チタンの極微小の電磁波が細胞組織の蛋白質分子に影響を与えるとも考えられるが、推測の域を出ない。
　そこで、本考案は、このようなチタンの特性や生理活性機能を活用した新しい複合健康指リングを提供することを課題とする。
【課題を解決するための手段】
【０００９】
　本考案は、新素材としてのチタンの特性を生かして、エラストマーを母材とし、脱着自在の各色、各サイズのリングを適宜組合せて複合リングとし、指に装着することにより、快適性に優れ、しかも健康増進を与える健康指リングを提供する。
【００１０】
　　本考案は、以下の基本的構成を特徴とする。　
　(1)少なくとも２個のリングからなる健康指リングであって、少なくとも１個のリングはチタン粉末をエラストマーに配合したものからなり、且つ各リングは相互に嵌合又は重ね合わせで脱着自在となっていることを特徴とする複合健康指リング
　(2)各リングは、少なくとも内径、外径又は幅が異なっており、各リングが嵌合又は重ね合わせにより脱着自在となっていることを特徴とする(1)の複合健康指リング。
　(3)最外側のリングの化粧面に適宜の装飾付属具を付けてなる複合健康指リング。
　(4)該チタン粉末が、高圧水中で金属チタンを水素と酸素の燃焼ガスで燃焼させて得られたチタン粉末であることを特徴とする(1)又は(2)の複合健康指リング。
【００１１】
　本考案では、上記構成を有することによって生理活性機能の効能発生速度が速く、効能持続期間が長く、治療効能の範囲が広く、皮膚アレルギーなどの副作用を起こすことなく、使用のわずらわしさがない複合健康指リングを提供するものである。
【考案の効果】
【００１２】
　本考案の健康指リングは、チタン素材として高圧水中で酸素を水素の反応による燃焼熱で原料チタンを燃焼させることによって得られたチタン粉末をエラストマー素材に配合したリングを少なくとも１個有することによって、該チタン粉末の有する健康増進の機能を十分に発揮する新しい健康装身具とするものである。
　また、本考案の複合健康指リングは、成形加工が容易で、経済的であり、効能発生速度も優れており、効能持続期間も長く、治療効能の範囲もより広く有効とである。また、エラストマー素材の使用は、その柔らかさと皮膚や肌へのなじみ性や熱伝導性があり、指リング装着時のソフトな快適性がもたらされる。さらに、本考案の健康指リングを装着しても、湿疹やかゆみなどの金属アレルギーを起こすことはないと考えられる。本考案では、各色、各サイズのリングを予め形成しておくことにより、適宜に数多くのパターンで複合健康リングを形成することができる。
【考案を実施するための最良の形態】
【００１３】
　本考案の健康指リングの詳細を以下に説明する。
　本考案の複合健康指リングは、少なくとも２個以上のリングが嵌合又は重ね合わせにより脱着自在の複合リングを形成しており、そのうち少なくとも１個のリングがチタン粉末を含有する材料で形成されたものである。
　本考案の複合健康指リングは、各色、各サイズのリングが、適宜に２個でも３個でも、脱着自在に組合わされた構造であることが特徴である。
　勿論、上記２個以上のリングは脱着自在に嵌合又は重ね合わされていても、一体的に結合されていてもよい。
【００１４】
　本考案の複合健康指リングを構成するリングのエラストマー素材は、弾性を有するゴム材料や熱可塑性樹脂のような弾性材料を包含するもので、天然ゴムや、クロロプレンゴムやＮＢＲなどの合成ゴム又は熱可塑性ポリウレタンや発泡性樹脂などが、指への装着性の上からも好適である。
【００１５】
　また、本考案で使用するチタン粉末は、好ましくは球形形状が均一で、粒度も一定で、特に粒径がミクロンオーダーのものがエラストマー素材への分散性もよく、本考案の所期の効果を達成するのに適している。これに適するものとして、高圧水中で酸素と水素の混合ガスを燃焼させ、その燃焼ガスで金属チタンを加熱し、粉末化させることにより製造されたものを用いるのが適当で、特に出願人の開発した製造方法（特願2001-91941号、特願2001-91942号) で得られたものを使用するのが好適である。
【００１６】
　エラストマ−素材に上記チタン粉末を配合するには、通常のロール混練法や押出混練法などによりエラストマー素材に練り混むことにより、チタン粉末の良好な分散混合するようにする。また、エラストマーの製造時に、チタン粉末を混入するなどの方法を採用してもよい。
　エラストマー素材へのチタン粉末の配合量は、エラストマー１００重量部に対して５〜１重量部の範囲で、１重量部以下ではチタン粉末の本来機能が発揮されず、５重量部を超えると、機能はそれほど増加せずに不経済である。
【００１７】
　本考案における３個のリング構造の健康指リングを図面で説明する。
　図１は、上述するような特定の製造方法で得られたチタン粉末を混入したエラストマー素材が分散されてなるインナーリング１、図２は中間個２、図３は、アウター個３をそれぞれ個別に表している。すなわち、指に直接接触する側のインナーリング（最内側）１は、上記チタン粉末をエラストマーに練り込んだエラストマー素材から構成されている。また、図３に示すようにアウターリング３（最外側）の化粧面に適宜の装飾付属具をつけてもよい。
　複合健康リングの構成は、各リングが嵌合又は重ね合わせにより脱着自在であってもよいし、リングが一体的に結合された状態であってもよい。
【００１８】
　本今案の複合健康リングを作るには、上述するように、それぞれ各色、各サイズのインナーリング１、中間リング２、アウターリング３を予め形成しておき、そのうちの少なくとも２個のリングを適宜くみあわせて、嵌合又は重ね合わせで脱着自在にすればよい。
　また、一体的に結合された複合健康リングを作るときには、中間リング２として着色したエラストマー素材を用いるときには、インナーリング１をインサート部品とし、インナーリング１の外周に熱溶融した着色エラストマー素材を注入して中間リング２を形成して一体化する。さらに、必要あれば、ンナーリング１と中間リング２が一体化されたリングをインサート部品として外周に適宜に着色した熱溶融のエラストマー素材を注入して、アウターリング３を形成して、目的とする健康指リングを形成する。
　上記いずれの場合であっても少なくとも１個のリングにはチタン粉末を混入しておくことが必要である。
【００１９】
　本考案における所期の効果を発揮するチタン粉末を混入するリングは、最内側のインナーリングに格別限定されることはないが、インナーリングであることが好ましい。また、インナーリングの内径は、小指、薬指、中指、人差し指又は親指の太さは各人各様であるから、商業的には多種類のサイズの指リングを用意しておく必要があるが、特に適宜に着色された最内側、中間、最外側のリングを嵌合又は重ね合わせにより脱着自在にするためには、数多くの仕様のリングを形成しておくことが重要である。
【００２０】
　中間リング２を形成するエラストマー素材２は、インナーリング及びアウターリングの各個と同色又は異色のものを使用する。したがって、３個構造の指リングの場合、３個共に同色の場合、３個共に異色の場合、あるいはインナーリングとアウターリングが同色で、中間リングのみが異色の場合がある。いずれの場合も、異色の域が外側に表われてもよいし、指に直接接する域のみを除いて異色の域を覆い隠すこともできる。
　さらに、２個構造の健康指リングは、上記３個構造の場合と、同様の手法で、適宜、中間リングを省略することによって得ることができる。
【００２１】
　　本考案の健康指リングは、それぞれ各色、各サイズのインナーリング１、中間リング２、アウターリング３を射出成形によって予め成形しておき、そのうちの少なくとも２個のリングを適宜組み合せればよい。別法として第１段階のインナーリングの成形後に、第２段階として得られたインナーリング１をインサート部品とし、射出成型機の金型内に挿入後、インナーリング１の周辺部にエラストマー素材を注入し、中間リング２を成形し、第３段階としてインナーリング１及び中間リング２が結合した２個構造のものをインサート部品として、同様に射出成型機の金型内に挿入後、その周りに射出成形機によってアウターリング３を形成することによって容易に得られる。
【図面の簡単な説明】
【００２２】
【図１】インナーリングの斜視図
【図２】中間リングの斜視図
【図３】アウターリングの斜視図
【図４】インナーリングと中間リングの脱着自在の組合せた複合指リング
【図５】本考案の３個構造の複合指リング
【符号の説明】
【００２３】
　１　インナーリング
　２　中間リング（同色又は異色）
　３　アウターリング
【図１】
0003099264.tif 000002
【図２】
0003099264.tif 000003
【図３】
0003099264.tif 000004
【図４】
0003099264.tif 000005
【図５】
0003099264.tif 000006